(57)【特許請求の範囲】
【請求項１】
和式便器の使用形態を洋式のものとするために使用する洋式便器の固定構造であって、
該洋式便器は、該和式便器に被せられており、該和式便器の周辺で床面には、手すりが固定されており、該手すりには、固定装置が取り付けられており、
該固定装置を該洋式便器の周縁部外面に当接させ、さらに該固定装置で該洋式便器を床面に押しつけて、該洋式便器を床面に固定することを特徴とする洋式便器の固定構造。
【請求項２】
該固定装置は、該手すりに設けられた取付部に回動可能に取り付けられた押圧部材と、該手すりの取付部を介して該押圧部材に螺着されたねじ部材とを備えており、
該押圧部材の一端部を該洋式便器の周縁部に接触させたうえで、該押圧部材に対してねじ部材を締め付けて、該押圧部材で該洋式便器を押圧する請求項１に記載の洋式便器の固定構造。
【発明の詳細な説明】
【技術分野】
【０００１】
本発明は、既設の和式便器に被せることによって使用する洋式便器の固定構造に関するものである。
【背景技術】
【０００２】
従来、高齢者、身障者にとっての使いやすさを向上させるため、既設の和式便器に被せて使用する洋式便器が提供されるとともに、このような洋式便器を固定するための固定構造が提案されている。例えば、特許文献１に記載の据置台の固定構造においては、洋式便器である据置台の底部にゴム部材を設け、和式便器の両側内面でフランジ部に設けられた返し部に該ゴム部材を嵌着して、据置台を和式便器に固定している。特許文献２に記載の据置台の固定構造においては、洋式便器である据置台に引掛金具の一端を引っ掛けるとともに、該引掛金具の他端を和式便器の返し部に引っ掛け、さらにネジ部材で該引掛金具を和式便器に圧接させて、据置台を和式便器に固定している。特許文献３に記載の和式便器に被せる洋式便器の固定装置においては、洋式便器本体の後部に固定レバーを取り付け、和式便器の金隠し内面に該固定レバーを当接させることにより、該洋式便器本体を和式便器に固定している。
【特許文献１】実用新案登録第２５３５９６６号公報
【特許文献２】実開平５−４３９９６号公報
【特許文献３】実用新案登録第２５５５６２９号公報
【発明の開示】
【発明が解決しようとする課題】
【０００３】
ところが、上記従来の固定構造においては、洋式便器を和式便器に固定する構成となっているため、特許文献１であればゴム部材の嵌着に力を要する、特許文献２及び３であれば和式便器内に手を入れて引掛金具の引っ掛け、あるいは固定レバーの調整を行う等、固定に係る作業が繁雑であるという問題が生じる。また、このような洋式便器は、汚れるものであるため、衛生を保つために適宜取り外して清掃を行うが、しかし特許文献１であればゴム部材の嵌着の解除に力を要する、特許文献２及び３であれば引掛金具、あるいは固定レバーの一部が脱落してしまうおそれがある等、取り外しに係る作業も繁雑であるという問題がある。さらに、和式便器に固定する構成としたため、所定の固定具が和式便器内に露出しており、該所定の固定具が排泄物などで汚れやすく、衛生面で劣るという問題がある。
【０００４】
本発明は、このような従来技術に存在する問題点に着目してなされたものである。その目的とするところは、洋式便器の装着及び脱着に係る作業を容易なものとすることができるとともに、衛生的なものとすることができる洋式便器の固定構造を提供することにある。
【課題を解決するための手段】
【０００５】
上記の目的を達成するために、請求項１に記載の洋式便器の固定構造の発明は、和式便器の使用形態を洋式のものとするために使用する洋式便器の固定構造であって、該洋式便器は、該和式便器に被せられており、該和式便器の周辺で床面には、手すりが固定されており、該手すりには、固定装置が取り付けられており、該固定装置を該洋式便器の周縁部外面に当接させ、さらに該固定装置で該洋式便器を床面に押しつけて、該洋式便器を床面に固定することを要旨とする。
上記構成によれば、洋式便器を手すりに固定する構成としたことにより、固定装置が外部に露出しており、該固定装置の操作が行いやすいため、洋式便器の装着及び脱着に係る作業が容易である。また、固定装置は、洋式便器の外面に当接されているため、排泄物などが付着しづらく、衛生的である。
【０００６】
請求項２に記載の発明は、請求項１に記載の洋式便器の固定構造の発明において、該固定装置は、該手すりに設けられた取付部に回動可能に取り付けられた押圧部材と、該手すりの取付部を介して該押圧部材に螺着されたねじ部材とを備えており、該押圧部材の一端部を該洋式便器の周縁部に接触させたうえで、該押圧部材に対してねじ部材を締め付けて、該押圧部材で該洋式便器を押圧することを要旨とする。
上記構成によれば、ねじ部材の締め付け、あるいは緩めという簡易な操作で押圧部材による押圧力を調節することができる。
【発明の効果】
【０００７】
本発明によれば、洋式便器の装着及び脱着に係る作業を容易なものとすることができるとともに、衛生的なものとすることができる。
【発明を実施するための最良の形態】
【０００８】
以下、本発明を具体化した一実施形態について説明する。
図１は、洋式便器の固定構造における全体の概略構成を示す斜視図であり、図２は、洋式便器を取り付ける状態を示す概略構成の斜視図である。本実施形態において、トイレの床面１０上には、和式便器１１が既設されており、洋式便器１２は、該和式便器１１に被せるようにして、該床面１０上に設置されている。また、和式便器１１の周辺で床面１０上には、該和式便器１１を取り囲むようにして手すり１３が設置されており、洋式便器１２の使用する際の使い勝手の向上が図られている。そして、該手すり１３には、固定装置１４が取り付けられており、洋式便器１２は、該固定装置１４によって床面１０上に固定されている。
【０００９】
ここで、まず洋式便器１２について説明し、次に手すり１３について説明する。洋式便器１２は、略椀状をなす便器本体１５と、該便器本体１５に回動可能に取り付けられたＯ字状をなす便座１６及び浅皿状をなす便蓋１７とからなる。そして、便器本体１５の中央部分は、開口されており、前記和式便器１１に被せられた際には、便器本体１５の内部が和式便器１１の内部と通じるようになっている。これら便器本体１５、便座１６及び便蓋１７は、着座時における加重に耐えつつ、清掃時等における利便性向上のため軽量化を図るとともに、排泄物などが付着しづらいものとするという観点から、ポリエチレン（ＰＥ）、ポリプロピレン（ＰＰ）などのポリオレフィン、アクリロニトリル・ブタジエン・スチレン共重合体（ＡＢＳ）等といった合成樹脂によって形成されている。なお、便器本体１５、便座１６及び便蓋１７のうち少なくとも何れか１つを、合成樹脂に限らず、陶器、金属などによって形成してもよい。
【００１０】
手すり１３は、和式便器１１の両側部に配置される一対の肘置き部１８と、洋式便器１２を迂回するようにして両肘置き部１８の間を連結する連結部１９とからなる。また、肘置き部１８は、棒状をなす固定脚１８ａと、該固定脚１８ａ上に立設された肘置き台１８ｂとからなり、ねじ等によって該固定脚１８ａが床面１０に固定されている。該手すり１３においては、洋式便器１２へ着座した際、該肘置き台１８ｂに肘を載せることにより、体を安定に保持することができるようになっている。さらに、洋式便器１２へ着座する際、肘置き台１８ｂ、あるいは連結部１９をつかむことにより、洋式便器１２へ着座しやすくなっている。なお、使用者による使い勝手を向上させるため、肘置き台１８ｂは、床面１０からの高さを調整できるように構成されている。
【００１１】
次いで、固定装置１４について説明する。図３は、固定装置の概略構成を示す分解斜視図であり、図４（ａ），（ｂ）は、固定装置で洋式便器を固定する状態を示す断面図である。
前記手すり１３において、肘置き部１８の固定脚１８ａには、固定装置１４を取り付けるための取付部２０が立設されている。該取付部２０は、断面凹字状に形成されている。該取付部２０において、洋式便器１２における前後方向で対向する一対の側壁２０ａには、それぞれ一対ずつ合計二対の係合溝２１が形成されている。これら係合溝２１は、床面１０側を下方として、斜め下方へ延びるとともに、側壁２０ａの端縁で開放されている。また、該取付部２０において、洋式便器１２における左右方向に位置する側壁２０ｂには、挿通孔２２が該側壁２０ｂの長手方向、つまりは洋式便器１２における上下方向へ延びる長孔状をなすように形成されている。
【００１２】
固定装置１４は、該取付部２０に装着される押圧部材２５と、該押圧部材２５に螺着されたねじ部材２６とを備えている。該押圧部材２５は、取付部２０に装着される基端部２５ａと、洋式便器１２の便器本体１５に係合される先端部２５ｂとからなる。
洋式便器１２における前後方向の面を側面として、該押圧部材２５の基端部２５ａの両側面で基端上部には、係合突部２７がそれぞれ突設されている。該押圧部材２５を取付部２０に装着する際、これら係合突部２７は、取付部２０の係合溝２１に挿入され、係合されるようになっている。また、押圧部材２５は、取付部２０に装着された状態で、該係合突部２７を中心として、洋式便器１２の上下方向に回動可能となっている。さらに、該基端部２５ａの基端面で下部には、ねじ部材２６を螺着するためのねじ孔２８が形成されている。
【００１３】
該押圧部材２５の先端部２５ｂにおいて、その一端部には、係合爪２９が取り付けられている。該係合爪２９は、断面Ｌ字状に形成されており、便器本体１５の側部において、周縁角部に係合されるようになっている（図４（ａ），（ｂ）参照）。また、該先端部２５ｂは、押圧部材２５の上面に設けられた調整ネジ３０を緩めることにより、基端部２５ａに対してスライド移動自在に構成されており、取付部２０から便器本体１５までの距離に応じて押圧部材２５を伸縮させて長さ調節することができるようになっている。なお、特に図示はしないが、係合爪２９において、便器本体１５と接触する部位には、ゴム、不織布などからなる軟質シートが貼り付けられており、便器本体１５の傷付きを抑制している。
該ねじ部材２６は、ハンドル２６ａと、該ハンドル２６ａの中心から延設されたボルト杵２６ｂとからなる。そして、該ねじ部材２６は、取付部２０の挿通孔２２にボルト杵２６ｂを挿通したうえで、該ボルト杵２６ｂを押圧部材２５のねじ孔２８に螺入することにより、取付部２０を介して押圧部材２５に螺着されている。
【００１４】
次に、固定装置１４による洋式便器１２の固定方法について説明する。なお、手すり１３は、床面１０に既に固定されているものとする。
さて、洋式便器１２を固定する場合には、図２に示したように、まず洋式便器１２の便器本体１５を和式便器１１の上方から被せる。次いで、図４（ａ）に示したように、押圧部材２５を便器本体１５に係合させ、さらにハンドル２６ａを回してねじ部材２６を締め付ける。すると、押圧部材２５において、ねじ孔２８は、係合突部２７よりも下側（床面１０側）に位置しているため、押圧部材２５は、図４（ｂ）に示したように、係合爪２９を下側へ移動させるように回動する。そして、このように押圧部材２５が回動した結果、便器本体１５は、該押圧部材２５によって床面１０へと押圧されることとなり、床面１０上に固定されることとなる。また、押圧部材２５が回動するとき、係合突部２７は、係合溝２１の内奥側（斜め上側）へ適宜位置ずれすることにより、押圧部材２５のがたつきを抑制し、該押圧部材２５による押圧力を便器本体１５に好適に加えるように構成されている。
【００１５】
一方、洋式便器１２の脱着方法は、上記固定方法とは逆にハンドル２６ａを回してねじ部材２６を緩めればよい。つまり、ねじ部材２６を緩めることにより、押圧部材２５は回動可能となる。従って、ねじ部材２６を適宜緩めたうえで、便器本体１５を上方へ引き上げれば、押圧部材２５が上方へ回動し、該押圧部材２５と便器本体１５との係合が解除される。また、便器本体１５は、既設の和式便器１１に対して何ら固定されていないため（図４（ａ），（ｂ）を参照）、ハンドル２６ａを緩めるのみで便器本体１５を上方へ引き上げ可能となり、洋式便器１２を簡易に脱着することができる。
【００１６】
上記のように、本実施形態の固定装置１４は、手すり１３に取り付けられているため、洋式便器１２の外部に露出している。従って、ハンドル２６ａを回しやすく、洋式便器１２の固定及び脱着に係る作業を容易に行うことができる。また、固定装置１４において、押圧部材２５の係合爪２９は、便器本体１５の外面に当接されているため、排泄物などが付着しづらく、衛生的である。特に、洋式便器１２の固定時及び脱着時に手で触れることとなるハンドル２６ａは、洋式便器１２の外部であり、さらに便器本体１５から離間した位置に配置されているため、衛生的であり、作業を行いやすい。
【００１７】
なお、上記取付部２０においては、使用する便器本体１５の床面１０からの高さに応じて、二対の係合溝２１のうち何れか一方を選択し、押圧部材２５を係合する。また、図４（ａ）中に「Ｈ」として示す便器本体１５の床面１０からの高さに対し、図４（ａ）中に「Ｌ」として示す床面１０から係合溝２１の上縁までの長さは、Ｌ≦Ｈの関係を満たすことが好ましい。このようにＬ≦Ｈの関係を満たす場合、押圧部材２５が便器本体１５へ向かって回動しやすくなるため、より強い押圧力を加えることができる。また、押圧部材２５において、基端部２５ａの基端面を便器本体１５側へ傾斜する斜面状としてもよい。基端部２５ａの基端面をこのような斜面状とした場合も、押圧部材２５が便器本体１５へ向かって回動しやすくなるため、より強い押圧力を加えることができる。また、押圧部材２５において、係合爪２９を便器本体１５の上面に当接させることに限らず、例えば便器本体１５の側面にスリットを設け、該スリットに係合爪２９を差し込む構成としてもよい。
【００１８】
また、固定装置１４は、上記実施形態のように便器本体１５を両側部の２箇所で固定することに限らず、例えば一側部の１箇所で固定したり、あるいは便器本体１５の後部も合わせて３箇所で固定したり等してもよい。また、固定装置は、上記実施形態の構成に限らず、手すり１３に取り付けられ、さらに便器本体１５を床面１０に押圧して固定可能ならば、何れの構成としてもよい。例えば、バネ性を有する金属プレートで固定装置を構成するとともに、該金属プレートを固定脚１８ａに回動可能に取り付け、該金属プレートを撓ませつつ、便器本体１５の上面に当接させることにより、便器本体１５を固定してもよい。あるいは、固定脚１８ａに固定装置１４を取り付けることに限らず、連結部１９に固定装置１４を取り付けてもよい。
【図面の簡単な説明】
【００１９】
【図１】洋式便器の固定構造における全体の概略構成を示す斜視図。
【図２】洋式便器を取り付ける状態を示す概略構成の斜視図。
【図３】固定装置の概略構成を示す分解斜視図。
【図４】（ａ）は固定装置で洋式便器を固定する状態を示す断面図、（ｂ）は固定装置で洋式便器を固定した状態を示す断面図。
【符号の説明】
【００２０】
１０…床面、１１…和式便器、１２…洋式便器、１３…手すり、１４…固定装置、２０…取付部、２５…押圧部材、２６…ねじ部材。
【図１】
0004621603.tif 000002
【図２】
0004621603.tif 000003
【図３】
0004621603.tif 000004
【図４】
0004621603.tif 000005